(57)【要約】【課題】少なくとも一日に一回は行われるたとえば制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査すること。【解決手段】読取装置５００により、たとえば主制御基板２２０に貼着される封印シールとしての基板ケースシール２５０のたとえば本体製造番号（又は主基板番号）を示す固有の第１識別情報を有するＱＲコード２５１の非接触での読み取りを行った後、第１識別情報のデータを所定の演算ルールに従って圧縮した第２識別情報を記憶する記憶手段としてのＩＣチップ２７１を有したＩＣタグシール２７０からの非接触での読み取りを行うようにした。【選択図】図９
2008212570.tif 000002
【特許請求の範囲】
【請求項１】
遊技機に設けられている部品を検査する遊技機の検査システムであって、
前記遊技機を構成する複数の部品のいずれかに設けられ、非接触で読み取られる固有の第１識別情報と、
前記遊技機を構成する複数の部品のいずれかに設けられ、前記第１識別情報のデータを所定の演算ルールに従って圧縮した第２識別情報を記憶する記憶手段を有したＩＣタグと、
前記第１識別情報の読み取りと前記ＩＣタグからの読み取りとを非接触で行う読取装置とを備え、
前記読取装置により、前記第１識別情報が読み取られ、該第１識別情報のデータが所定の演算ルールに従って圧縮されて前記記憶手段に送信され、該記憶手段からの所定の演算結果を確認することで、少なくとも前記部品の検査が行われる
ことを特徴とする遊技機の検査システム。
【請求項２】
前記第１識別情報は、少なくとも本体製造番号又は主基板番号を示す所定のコードデータであり、
前記第２識別情報は、前記所定のコードデータが所定の演算ルールに従って圧縮されたデータであり、
前記記憶手段により、記憶済みの圧縮されたデータと、前記読取装置からの圧縮されたデータとが四則算のいずれかによって演算される
ことを特徴とする請求項１に記載の遊技機の検査システム。
【請求項３】
前記第１識別情報のデータを圧縮する場合の前記所定の演算ルールは、前記第１識別情報を所定の文字コードに置き換え、その置き換えた前記所定の文字コードの中の特定の文字コードを基準アドレスとして前記特定の文字コード以外の他の文字コードをその基準アドレスに対する相対アドレスに置き換えることであることを特徴とする請求項１又は２に記載の遊技機の検査システム。
【請求項４】
前記第１識別情報のデータを圧縮する場合の前記所定の演算ルールは、前記第１識別情報を所定の文字コードに置き換え、その置き換えた前記所定の文字コード以外の特定の文字コードを基準アドレスとして前記置き換えた文字コードをその基準アドレスに対する相対アドレスに置き換えることであることを特徴とする請求項１又は２に記載の遊技機の検査システム。
【請求項５】
遊技機に設けられている部品を検査する遊技機の検査方法であって、
前記遊技機を構成する複数の部品のいずれかに設けられる固有の第１識別情報を非接触で読み取る工程と、
前記遊技機を構成する複数の部品のいずれかに設けられる、前記第１識別情報のデータを所定の演算ルールに従って圧縮した第２識別情報を記憶する記憶手段を有したＩＣタグからの読み取りを非接触で行う工程とを有し、
前記第１識別情報が読み取られ、該第１識別情報のデータが所定の演算ルールに従って圧縮されて前記記憶手段に送信され、該記憶手段からの所定の演算結果を確認することで、少なくとも前記部品の検査が行われる
ことを特徴とする遊技機の検査方法。
【請求項６】
前記第１識別情報は、少なくとも本体製造番号又は主基板番号を示す所定のコードデータであり、
前記第２識別情報は、前記所定のコードデータが所定の演算ルールに従って圧縮されたデータであり、
前記記憶手段により、記憶済みの圧縮されたデータと、前記読取装置からの圧縮されたデータとが四則算のいずれかによって演算される
ことを特徴とする請求項５に記載の遊技機の検査方法。
【請求項７】
前記第１識別情報のデータを圧縮する場合の前記所定の演算ルールは、前記第１識別情報を所定の文字コードに置き換え、その置き換えた前記所定の文字コードの中の特定の文字コードを基準アドレスとして前記特定の文字コード以外の他の文字コードをその基準アドレスに対する相対アドレスに置き換えることであることを特徴とする請求項５又は６に記載の遊技機の検査方法。
【請求項８】
前記第１識別情報のデータを圧縮する場合の前記所定の演算ルールは、前記第１識別情報を所定の文字コードに置き換え、その置き換えた前記所定の文字コード以外の特定の文字コードを基準アドレスとして前記置き換えた文字コードをその基準アドレスに対する相対アドレスに置き換えることであることを特徴とする請求項５又は６に記載の遊技機の検査方法。
【請求項９】
請求項１〜４のいずれかに記載の遊技機の検査システムを備えることを特徴とする遊技機。
【発明の詳細な説明】
【技術分野】
【０００１】
本発明は、遊技機の検査に係るものであり、特に、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかの検査に適した遊技機の検査システム、遊技機の検査方法及び遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。  
【０００３】
また、スロットマシンでは、メダル（又はコインとも呼ばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このようなスロットマシンでは、ゲームの演出に係る制御を主に行うサブ制御基板と、リールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板への制御が行われるようになっている。
【０００７】
ところで、主制御基板に搭載されている上述した特にＲＯＭは、定期的な検査等のために基板上のコネクタに着脱自在となるように装着されている。また、上述した各電子素子等は、筐体の外部から内部に挿入されるセルや針金等の不正行為治具によって不正に弄られないように、基板ケースを構成する本体ケースと上蓋ケースとの間に挟持されたユニット構成とされている。
【０００８】
また、その上蓋ケースは、ホールスタッフ等により主制御基板上の各電子素子等の状態が確認し易いように透明なプラスチックで形成されている。さらに、その上蓋ケースは、法規制により検査済みシールが貼着されて封印されているとともに、本体ケースと上蓋ケースとがカシメ状態で結合する接続部材を介してカシメ結合され、上蓋ケースが開けられないようになっている。
【０００９】
また、主制御基板は、通常、筐体内部を正面から見たとき、所定数の図柄が付された３個のリールを有する回胴装置の上方に位置するように筐体内面に取り付けられている。これは、スロットマシンの構成上、筐体内部のほぼ中央寄りにその回胴装置が配置され、回胴装置の下方にメダルの払い出し等を行うホッパ装置や電源を供給する電源装置等が配置されるようになっており、主制御基板の状態を前扉を開けて確認し易い位置が回胴装置の上方となるためである。
【００１０】
また、主制御基板を、回胴装置の上方に位置するように筐体内面に取り付けることで、前扉側から見てその位置が最も遠くなり、しかも主制御基板が本体ケースと上蓋ケースとの間に挟持されたユニット構成とされていることで、筐体の外部から内部に挿入されるセルや針金等の不正行為治具によって主制御基板上の各種電子素子等が不正に弄られないような対策もとることができるようになっている。
【００１１】
ところが、主制御基板に対して上述のようにセルや針金等の不正行為治具による不正行為に対する様々な対策が講じられているにも関わらず、たとえば遊戯中等に前扉が不正に開けられ、主制御基板上のＲＯＭがプログラムの内容が書き換えられた、いわゆる裏ＲＯＭ又は不正ＲＯＭと呼ばれるものに不正に差し替えられてしまうことがある。さらに、不正な制御基板が収容された基板ケースが現在使用されている基板ケースと差し替えられてしまうこともある。
【００１２】
これは、筐体内部における主制御基板が上述した上蓋ケースによって覆われているが、前扉が不正に開けられてしまうと、その主制御基板が回胴装置の上方、すなわち手で触ることができる位置に取り付けられているからである。特に、上蓋ケースは、検査済みシールによって封印され、さらに上述したカシメ結合により上蓋ケースが開けられないようになっているにも関わらず、ホールスタッフ等により主制御基板上の各電子素子等の状態が確認し易いように透明なプラスチックで形成されているため、半田ごて等の熱によって穴が開けられやすいためでもある。
【００１３】
なお、上蓋ケースに開けられた穴から検査済みのＲＯＭが裏ＲＯＭ又は不正ＲＯＭと呼ばれるものに差し替えられた場合、その開けられた穴を確認することで、裏ＲＯＭ又は不正ＲＯＭと呼ばれるものに差し替えられたことを確認できるが、その穴は不正に作成された偽造シールで覆うような偽装が施されていることがある。このような偽造シールで覆うような偽装が施されていると、スロットマシンの内部構成に詳しいホールスタッフ等が確認すればその偽装にすぐに気づくことができるが、スロットマシンの内部構成に詳しくないホールスタッフ等が確認した場合、その偽装に気づかずにいることがある。
【００１４】
このようにして、検査済みのＲＯＭが裏ＲＯＭ又は不正ＲＯＭと呼ばれるものに不正に差し替えられてしまうと、たとえば上述した特別遊技状態（ボーナスゲーム等）が半ば強制的に発生させられてしまい、不正にコインの払い出しが行われてしまうということを招いてしまう。
【００１５】
このような不正行為の管理を行うようにしたものとして、特許文献１では、パーソナルコンピュータとパチンコ遊技機との間にＩＤ読取装置を接続し、パーソナルコンピュータからの識別情報要求指令に応じて、ＩＤ読取装置からパチンコ遊技機に識別情報要求信号を出力し、パチンコ遊技機の制御マイクロコンピュータからの応答である固有の識別情報をＩＤ読取装置からパーソナルコンピュータに出力し、パーソナルコンピュータ側でその固有の識別情報からパチンコ遊技機の制御マイクロコンピュータが真正なものであるか否かを管理するようにした遊技機管理装置を提案している。
【００１６】
【特許文献１】特開２００２−３４６１８６号公報
【発明の開示】
【発明が解決しようとする課題】
【００１７】
このように、上述した特許文献１では、パチンコ遊技機の制御マイクロコンピュータからの応答である固有の識別情報をＩＤ読取装置からパーソナルコンピュータに出力し、パーソナルコンピュータ側でその固有の識別情報からパチンコ遊技機の制御マイクロコンピュータが真正なものであるか否かを管理することで、遊技機においての正規の制御マイクロコンピュータとは異なる制御マイクロコンピュータに差し替えられてしまったことを容易に発見できるようになっている。
【００１８】
ところで、このような固有の識別情報を管理する方法では、ＩＤ読取装置を読み取り対象となるパチンコ遊技機に接続しなければならない。そのため、たとえばパチンコ遊技機を生産する生産工場においては、たとえばコンベア上を流れてくるパチンコ遊技機にＩＤ読取装置を接続すればよいので、ＩＤ読取装置及びパーソナルコンピュータを持ち運ぶことがなく、その接続及び固有の識別情報の読み取りに手間はそれほどかからないものと思われる。
【００１９】
ところが、各ホールでの設置時あるいは設置後に、それぞれのパチンコ遊技機の制御マイクロコンピュータからの固有の識別情報を読み取ろうとすると、ＩＤ読取装置及びパーソナルコンピュータを読み取り対象となるパチンコ遊技機まで持ち運ぶ必要があるばかりか、読み取り対象となるパチンコ遊技機にＩＤ読取装置を接続しなければならず、各パチンコ遊技機の固有の識別情報を管理する作業が極めて煩雑である。
【００２０】
すなわち、ホール等においては、少なくとも一日に一回はたとえば主制御基板上の各電子素子等の状態の確認作業を行う必要があり、その確認作業に併せて各パチンコ遊技機の固有の識別情報を読み取ろうとすると、ＩＤ読取装置及びパーソナルコンピュータを持ち運びながら、それぞれのパチンコ遊技機にＩＤ読取装置を接続して固有の識別情報を読み取っていく作業を繰り返さなければならないためである。
【００２１】
このようなことから、少なくとも一日に一回は行われるたとえば主制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査できる装置の開発が望まれていた。
【００２２】
本発明は、このような状況に鑑みてなされたものであり、少なくとも一日に一回は行われるたとえば制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる遊技機の検査システム、遊技機の検査方法及び遊技機を提供することを目的とする。
【課題を解決するための手段】
【００２３】
本発明の遊技機の検査システムは、遊技機に設けられている部品を検査する遊技機の検査システムであって、前記遊技機を構成する複数の部品のいずれかに設けられ、非接触で読み取られる固有の第１識別情報と、前記遊技機を構成する複数の部品のいずれかに設けられ、前記第１識別情報のデータを所定の演算ルールに従って圧縮した第２識別情報を記憶する記憶手段を有したＩＣタグと、前記第１識別情報の読み取りと前記ＩＣタグからの読み取りとを非接触で行う読取装置とを備え、前記読取装置により、前記第１識別情報が読み取られ、該第１識別情報のデータが所定の演算ルールに従って圧縮されて前記記憶手段に送信され、該記憶手段からの所定の演算結果を確認することで、少なくとも前記部品の検査が行われることを特徴とする。
【００２４】
また、前記第１識別情報は、少なくとも本体製造番号又は主基板番号を示す所定のコードデータであり、前記第２識別情報は、前記所定のコードデータが所定の演算ルールに従って圧縮されたデータであり、前記記憶手段により、記憶済みの圧縮されたデータと、前記読取装置からの圧縮されたデータとが四則算のいずれかによって演算されるようにしてもよい。
【００２５】
また、前記第１識別情報のデータを圧縮する場合の前記所定の演算ルールは、前記第１識別情報を所定の文字コードに置き換え、その置き換えた前記所定の文字コードの中の特定の文字コードを基準アドレスとして前記特定の文字コード以外の他の文字コードをその基準アドレスに対する相対アドレスに置き換えることであるようにしてもよい。
【００２６】
また、前記第１識別情報のデータを圧縮する場合の前記所定の演算ルールは、前記第１識別情報を所定の文字コードに置き換え、その置き換えた前記所定の文字コード以外の特定の文字コードを基準アドレスとして前記置き換えた文字コードをその基準アドレスに対する相対アドレスに置き換えることであるようにしてもよい。
【００２７】
本発明の遊技機の検査方法は、遊技機に設けられている部品を検査する遊技機の検査方法であって、前記遊技機を構成する複数の部品のいずれかに設けられる固有の第１識別情報を非接触で読み取る工程と、前記遊技機を構成する複数の部品のいずれかに設けられる、前記第１識別情報のデータを所定の演算ルールに従って圧縮した第２識別情報を記憶する記憶手段を有したＩＣタグからの読み取りを非接触で行う工程とを有し、前記第１識別情報が読み取られ、該第１識別情報のデータが所定の演算ルールに従って圧縮されて前記記憶手段に送信され、該記憶手段からの所定の演算結果を確認することで、少なくとも前記部品の検査が行われることを特徴とする。
【００２８】
また、前記第１識別情報は、少なくとも本体製造番号又は主基板番号を示す所定のコードデータであり、前記第２識別情報は、前記所定のコードデータが所定の演算ルールに従って圧縮されたデータであり、前記記憶手段により、記憶済みの圧縮されたデータと、前記読取装置からの圧縮されたデータとが四則算のいずれかによって演算されるようにしてもよい。
【００２９】
また、前記第１識別情報のデータを圧縮する場合の前記所定の演算ルールは、前記第１識別情報を所定の文字コードに置き換え、その置き換えた前記所定の文字コードの中の特定の文字コードを基準アドレスとして前記特定の文字コード以外の他の文字コードをその基準アドレスに対する相対アドレスに置き換えることであるようにしてもよい。
【００３０】
また、前記第１識別情報のデータを圧縮する場合の前記所定の演算ルールは、前記第１識別情報を所定の文字コードに置き換え、その置き換えた前記所定の文字コード以外の特定の文字コードを基準アドレスとして前記置き換えた文字コードをその基準アドレスに対する相対アドレスに置き換えることであるようにしてもよい。
【００３１】
本発明の遊技機は、請求項１〜４のいずれかに記載の遊技機の検査システムを備えることを特徴とする。
【００３２】
本発明の遊技機の検査システム、遊技機の検査方法及び遊技機では、遊技機を構成する複数の部品のいずれかに設けられ設けられる固有の第１識別情報の非接触での読み取りを行った後、第１識別情報のデータを所定の演算ルールに従って圧縮した第２識別情報を記憶する記憶手段を有したＩＣタグからの非接触での読み取りを行う際、読み取られた第１識別情報のデータが所定の演算ルールに従って圧縮されて記憶手段に送信され、該記憶手段からの所定の演算結果を確認することで、少なくとも主要部品の検査が行われる。
【発明の効果】
【００３３】
本発明の遊技機の検査システム、遊技機の検査方法及び遊技機によれば、固有の第１識別情報の非接触での読み取りを行った後、第１識別情報のデータを所定の演算ルールに従って圧縮した第２識別情報を記憶する記憶手段を有したＩＣタグからの非接触での読み取りを行う際、読み取られた第１識別情報のデータが所定の演算ルールに従って圧縮されて記憶手段に送信され、該記憶手段からの所定の演算結果を確認するようにしたので、少なくとも一日に一回は行われるたとえば制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる。
【発明を実施するための最良の形態】
【００３４】
本実施形態では、読取装置により、たとえば基板ケース、制御基板、主要部品又は前扉のいずれかに貼着されるたとえば封印シールからのたとえば本体製造番号（又は主基板番号）を示す固有の第１識別情報の非接触での読み取りを行った後、第１識別情報のデータを所定の演算ルールに従って圧縮した第２識別情報を記憶する記憶手段としてのＩＣチップを有したたとえばＩＣタグシールからの非接触での読み取りを行うようにした。なお、第１識別情報としては、基板ケース等にレーザ光等によって直接、刻設されている場合もある。
【００３５】
その際、読取装置により読み取った第１識別情報のデータを所定の演算ルールに従って圧縮してＩＣタグシールのＩＣチップに送信すると、そのＩＣチップによる四則算のいずれかによっての演算結果が読み取られる。そして、その演算結果を確認することで、少なくとも一日に一回は行われるたとえば制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる。
【００３６】
なお、本発明の遊技機の検査システムは、後述の読取装置５００と、後述のたとえば基板ケースの上蓋ケース２３０に貼着されている基板ケースシール２５０と、後述のたとえばブラケット部材２４０と本体ケース２１０との間に貼着されているＩＣタグシール２７０とで構成されている。
【実施例】
【００３７】
以下、本発明の実施例の詳細について説明する。図１は、本発明の遊技機の検査システムが適用される回胴式遊技装置の一例を示す斜視図である。
【００３８】
同図に示すように、回胴式遊技装置であるスロットマシン１は、遊技者側に面する、いわゆるフロントマスクを構成する前扉３が略矩形状の箱体である筐体２の開口側に対し図示しない蝶番機構により左側端部側を回動支点として開閉可能に取り付けられている。前扉３は、上パネル部１０と、操作卓部２０と、下パネル部３０とに概ね分けられ、これらは化粧板として視覚効果を高めてデザインされた硬質プラスチックにより一体的に形成されている。
【００３９】
上パネル部１０には、高輝度発光ダイオードを内蔵した上部ランプ１１及びサイドランプ１２ａ，１２ｂが配置され、リーチや大当たり等の際に点灯又は点滅して遊技者の視覚に訴える演出を行っている。また、上パネル部１０には、左右にスピーカを内蔵した演出用放音部１３ａ，１３ｂが設けられ、これらの演出用放音部１３ａ，１３ｂによりゲームの進行に応じて選択される効果音や楽音等による演出が行われる。
【００４０】
さらに、演出用放音部１３ａ，１３ｂの間には、表示窓１４ａが形成されており、その表示窓１４ａから液晶表示部１４ｂが見えるように液晶表示ユニット１４が配置されている。液晶表示ユニット１４は、ゲームの進行に応じて選択された動画像を表示して、当該ゲームにストーリー性を与えたり、また、遊技者に内部当選結果を暗示して期待感を惹起させたりする等の演出を行っている。
【００４１】
また、上パネル部１０の中央には、略長方形の透明な表示窓１５ａと、遊技状態等をランプ表示する情報表示部とが形成されたパネル板１５が取り付けられている。そして、筐体２内に設けられている後述の回胴装置１００の３個の円筒状のリール１０１，１０２，１０３が表示窓１５ａを通して目視されるように構成されている。
【００４２】
すなわち、リール１０１，１０２，１０３の外周面には、所定数（たとえば２１個）の図柄が付された長尺状のプラスチックシートであるリールテープがそれぞれ捲装されて貼り付けられており、表示窓１５ａ側に臨む縦３個、横３列の図柄が表示窓１５ａを通して遊技者側から目視されるようになっている。
【００４３】
操作卓部２０には、ゲームに使用するメダルを投入するための投入口を有するメダル投入部２１、コインをベットするベットボタン２２、ゲームの操作を指示するスタートレバー２３、回胴装置１００のリール１０１，１０２，１０３をストップさせるストップボタン２４ａ，２５ｂ，２５ｃ等が設けられている。
【００４４】
ここで、現状のスロットマシン１では、１ゲームに必要とされるメダルが３枚となっているため、３枚を超えてメダルがメダル投入部２１に連続投入されると、最大５０枚までクレジットされるようになっている。
【００４５】
ベットボタン２２は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン２２を操作すると、そのクレジットされているメダルのうち３枚がベットされるようになっている。
【００４６】
スタートレバー２３は、回胴装置１００のリール１０１，１０２，１０３を一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００４７】
ストップボタン２４ａ，２５ｂ，２５ｃは、回胴装置１００のリール１０１，１０２，１０３の回転停止を個別に指示するための押圧式スイッチであり、各リール１０１，１０２，１０３の配列に対応してそれぞれ並設されている。
【００４８】
また、操作卓部２０には、鍵穴２５を有する図示しない施錠装置が設けられている。そして、ホールスタッフ等がメンテナンス作業や出玉管理作業等を行う場合、その施錠装置の鍵穴２５に専用鍵を差し込んでロックを解除すると、図２のように前扉３が左端部側を支点として片開きされ、筐体２の開口が開放されるようになっている。
【００４９】
下パネル部３０には、スロットマシン１のモデルタイプ等を遊技者へ認識させるための、たとえば登場キャラクターの絵等を表示するパネル３１が設けられている。また、このパネル３１には、ある組合、たとえばスロットのメーカーによる組合によっての検査済みを示す証紙５０が貼着されている。なお、証紙５０には、固有の識別情報を示す数字等の文字による本体製造番号（又は主基板番号）が印刷によって付されている。なお、証紙５０には、その固有の識別情報を示す後述のＱＲコード等が印刷によって付されていてもよい。
【００５０】
下パネル部３０の下部には、メダルを貯留するための受皿部を形成する受皿ユニット４０が設けられている。受皿ユニット４０には、入賞時等においてメダルを排出するメダル排出口４１と、後述するスピーカ６１ａ，６１ｂを内蔵しゲームの進行に応じて演出効果音を発生させる演出効果音部４２ａ，４２ｂと、灰皿４３とがそれぞれ配設されている。
【００５１】
図２は、図１の回胴式遊技装置であるスロットマシン１の内部構成を示す正面図である。なお、図２は、前扉３を筐体２から開けた状態を表している。同図において、前扉３の裏面上部には、上部ランプ１１の光源である高輝度発光ダイオード６０が配列されるとともに、上述の演出用放音部１３ａ、１３ｂに対向してスピーカ６１ａ，６１ｂが取り付けられている。
【００５２】
また、図２には示されてはいないがスピーカ６１ａ，６１ｂの間に上述した液晶表示ユニット１４が位置しており、その液晶表示部１４ｂが表示窓１４ａに向けて取り付けられている。さらに、液晶表示部１４ｂの裏面側に、サブ制御基板ユニット３００が取り付けられている。このサブ制御基板ユニット３００は、硬質プラスチックのケースに図示しないサブ制御基板を収容したものである。
【００５３】
このサブ制御基板ユニット３００に収容されたサブ制御基板は、後述の主制御基板２２０からの演出開始を示唆する制御信号を受け取ると、上述の液晶表示部１４ｂによる動画像等の表示と、上述の上部ランプ１１及びサイドランプ１２ａ，１２ｂによる点滅又は点灯によっての演出と、上述の演出用放音部１３ａ，１３ｂによる効果音や楽音等による演出とが行われるようになっている。サブ制御基板ユニット３００の下方には、筐体２側のリール１０１，１０２，１０３を目視させるための表示窓１５ａを有するパネル板１６が取り付けられている。
【００５４】
パネル板１６の下方には、中央表示制御基板ユニット４００が取り付けられている。この中央表示制御基板ユニット４００は、硬質プラスチックのケースに図示しない中央表示制御基板を収容したものである。また、この図示しない中央表示制御基板には、上述した操作卓部２０に設けられているベットボタン２２、スタートレバー２３、ストップボタン２４ａ，２５ｂ，２５ｃ等のスイッチ類が電気的に接続されており、これらスイッチ類の出力信号が筐体２側の後述の主制御基板２２０に転送されるように配線接続されている。
【００５５】
中央表示制御基板ユニット４００の下方には、上述のメダル投入部２１より投入される投入物を正規のメダルか異物かを判別して振り分けるセレクト機構６２と、このセレクト機構６２によって振り分けられたメダルを筐体２内に設けられているホッパ装置６６へ案内するガイド部材６３と、セレクト機構６２で振り分けられた異物を上述のメダル排出口４１へ案内するガイド部材６４とが設けられている。また、メダル排出口４１の両側には、上述した演出効果音部４２ａ，４２ｂに対向してスピーカ６５ａ，６５ｂが取り付けられており、これにより上述した演出用放音部４２ａ，４２ｂを介して演出効果音を出力するように構成されている。
【００５６】
一方、筐体２内の上部には、主制御基板ユニット２００が取り付けられている。この主制御基板ユニット２００は、硬質プラスチックのケースにスロットマシン１の全体動作を集中制御する後述の主制御基板２２０を収容したものであるが、その詳細については後述する。なお、図中符号２５０は基板ケースシール、符号２５５は管理票をそれぞれ示している。これら基板ケースシール２５０及び管理票２５５の詳細についても後述する。
【００５７】
主制御基板ユニット２００の下方には、リール１０１，１０２，１０３を有する回胴装置１００が取り付けられている。この回胴装置１００は、前扉３が筐体２側に閉じられると表示窓１５ａにリール１０１，１０２，１０３が対向するように、筐体２の所定フレーム（符号略）に位置決めして取り付けられている。なお、これらのリール１０１，１０２，１０３は、図示しないステッピングモータの駆動軸に取り付けられ、同じく図示しない回胴装置基板によってステッピングモータの駆動が制御されるようになっている。
【００５８】
回胴装置１００の下方には、ホッパ装置６６と、ホッパ装置６６から溢れたメダルを収容するための補助貯留部６７と、主電源装置６８とが設けられている。主電源装置６８の側面には、いわゆる配電盤に相当する図示しない電源装置基板が設けられている。また、筐体２の内壁の一端には、ホール等に設置されている「ホールコンピュータ」と呼ばれる管理用コンピュータと接続可能な図示しない外部集中端子基板が取り付けられている。
【００５９】
図３は、上述した主制御基板２２０を組み込んだ主制御基板ユニット２００を説明するための分解斜視図である。同図に示す主制御基板ユニット２００は、ブラケット部材２４０を介して筐体２の背面側に取り付けられるようになっている。また、主制御基板ユニット２００は、硬質プラスチックよりなる本体ケース２１０と上蓋ケース２３０とを有し、これらの本体ケース２１０と上蓋ケース２３０との間に主制御基板２２０を収容している。
【００６０】
ブラケット部材２４０は、主として係合凹部２４１ａを有するリブ部２４１と、係止アーム２４２とを有し、これらによって主制御基板ユニット２００が保持されるようになっている。また、ブラケット部材２４０には、接続部材２０１を用いて上蓋ケース２３０を結合する封止筒部２４３が設けられている。また、ブラケット部材２４０には、筐体２の背面側に取り付けられるためのねじが挿入される複数のねじ穴２４４が設けられている。
【００６１】
一方、本体ケース２１０は、前面が開放する略矩形の箱体として透明なプラスチックで一体形成したものであり、その底板部に小ねじを介して主制御基板２２０が結合固定される。また、本体ケース２１０の上側壁には、上蓋ケース２３０とヒンジ結合するためのヒンジ軸部２１１が所定の間隔をおいて３カ所に形成されている。また、下側壁には、係止穴を有する２本の係止アーム２１２と、上蓋ケース２３０をカシメ結合する封止筒部２１３が４カ所に形成されている。また、本体ケース２１０には、主制御基板２２０の後述のねじ挿通穴２２６に挿通される図示しないねじを介して主制御基板２２０を取り付けるためのねじ穴を有する取付部としてのリブ２１４が設けられている。
【００６２】
ここで、ブラケット部材２４０と本体ケース２１０との間には、主基板番号等のＩＣタグ識別情報を記憶しているＩＣチップ２７１等を有したＩＣタグシール２７０が貼着されているが、その詳細については後述する。
【００６３】
主制御基板２２０には、ＭＰＵ、ＲＯＭ、ＲＡＭ等が１チップ化されたＩＣチップ（以下、１チップＲＯＭという）２２１やＲＡＭ等のＩＣチップ２２２，２２３等が実装されている。ここで、１チップＲＯＭ２２１は検査済みである正規のＲＯＭであり、その１チップＲＯＭ２２１にはシステムプログラムやスロットマシンゲーム用のプログラム等が書き込まれている。そのため、１チップＲＯＭ２２１は定期的な検査等のために基板上の図示しないコネクタに着脱自在となるように装着されている。また、主制御基板２２０には、スロットマシン１に内蔵される他の制御回路基板、及び電子機器と電気的に接続するための基板側コネクタ２２４，２２５が実装されている。
【００６４】
また、主制御基板２２０には、基板ケースシール２５０が貼着されている。ここで、基板ケースシール２５０の表面側には、後述のように、数字等の文字による固有の識別情報である本体製造番号（又は主基板番号）と、その固有の識別情報を示すたとえば二次元コードのＱＲコード２５１とが印刷によって付されている。なお、その固有の識別情報を示すものとして、ＱＲコード２５１に限らず、一次元コードであってもよいし、ビットマップによる識別記号であってもよい。また、ＱＲコード２５１はたとえばアスキーコードのデータを基に生成されるものであるが、その詳細については後述する。
【００６５】
そして、この基板ケースシール２５０のＱＲコード２５１からの固有の識別情報のデータは後述の読取装置５００によって読み取られた後、たとえばその読取装置５００によって所定の演算ルールに従いデータが圧縮され、その圧縮されたデータが後述のＩＣタグシール２７０のタグであるインレット２７３に送信され、さらにインレット２７３のＩＣチップ２７１からの返信を受けて固有の識別情報の一致又は不一致を確認できるようになっているが、その詳細についても後述する。また、主制御基板２２０には、本体ケース２１０のねじ穴を有するリブ２１４に螺着される図示しないねじを挿通させるねじ挿通穴２２６が設けられている。
【００６６】
上蓋ケース２３０は、透明なプラスチックにより一体的に形成された略矩形の蓋体であり、上側壁に本体ケース２１０のヒンジ軸部２１１と位置整合されたヒンジ軸受部２３１が形成されている。また、上蓋ケース２３０には、本体ケース２１０の封止筒部２１３と位置整合された封止キャップ部２３２が形成されている。また、上蓋ケース２３０には、ブラケット部材２４０の封止筒部２４３と位置整合された封止キャップ部２３３が形成されている。また、上蓋ケース２３０には、上述の基板側コネクタ２２４，２２５と位置整合されたコネクタ開口部２３４，２３５が形成されている。
【００６７】
また、上蓋ケース２３０には、主制御基板２２０側に向けて窪ませた凹部２３６が形成されている。この凹部２３６の底面部２３７は、主制御基板２２０との間で基板ケースシール２５０を密着させるが、その詳細については後述する。また、上蓋ケース２３０には、管理票２５５が貼着されている。この管理票２５５には、数字等の文字による固有の識別情報である本体製造番号（又は主基板番号）等が印刷によって付されている。なお、管理票２５５には、上述した固有の識別情報を示すたとえば二次元コードのＱＲコード２５１が付されていてもよい。
【００６８】
そして、カシメ状態で結合する接続部材２０１を、上蓋ケース２３０の封止キャップ部２３２と本体ケース２１０の封止筒部２１３とに装着することで、上蓋ケース２３０が本体ケース２１０に結合されるようになっている。また、その接続部材２０１を、上蓋ケース２３０の封止キャップ部２３３とブラケット部材２４０の封止筒部２４３とに装着することで、上蓋ケース２３０がブラケット部材２４０に結合されるようになっている。このようにして、主制御基板２２０を組み込んだ主制御基板ユニット２００がブラケット部材２４０を介し筐体２の背面側に取り付けられることになる。
【００６９】
図４は、上述した基板ケースシール２５０の貼着状態の詳細を説明するための図である。ここで、図４（ａ）は図４（ｂ）に示す基板ケースシール２５０を横から見た場合を示し、図４（ｂ）は図３の主制御基板ユニット２００をＡ−Ａ線に沿って見た場合に相当し、図４（ｃ）は図４（ｂ）の上蓋ケース２３０を上方から見た場合を示している。
【００７０】
まず、図４（ａ）に示すように、基板ケースシール２５０の表裏面には、接着層２５４ａ，２５４ｂが設けられている。なお、接着層２５４ａ，２５４ｂの代わりに、接着剤を塗布するようにしてもよい。
【００７１】
また、図４（ａ）では、基板ケースシール２５０の表面の半分に接着層２５４ａが設けられ、基板ケースシール２５０の半分に接着層２５４ｂが設けられている場合を示しているが、基板ケースシール２５０の表裏面の全域に接着層２５４ａ，２５４ｂを設けてもよい。なお、図４（ａ）のように、基板ケースシール２５０の表裏面に半分ずつ接着層２５４ａ，２５４ｂが設けられるようにすることで、特に、基板ケースシール２５０の裏面側を一旦、主制御基板２２０上に貼着してからその貼着位置を変える場合、その裏面側の接着層２５４ｂが設けられていない部分を浮かして主制御基板２２０上から剥がすことができる。
【００７２】
このような基板ケースシール２５０は、図４（ｂ），（ｃ）に示すように、上蓋ケース２３０の主制御基板２２０側に向けて窪ませた凹部２３６の底面部２３７と主制御基板２２０との間に密着して挟持されるとともに、基板ケースシール２５０の裏面が接着層２５４ｂによって主制御基板２２０上に貼着され、基板ケースシール２５０の表面が接着層２５４ａを介して凹部２３６の底面部２３７に貼着される。
【００７３】
また、上蓋ケース２３０は、上述したように、上蓋ケース２３０の封止キャップ部２３２と本体ケース２１０の封止筒部２１３とに接続部材２０１を装着することで、上蓋ケース２３０が本体ケース２１０に結合される。
【００７４】
このようなことから、上蓋ケース２３０を本体ケース２１０から取り外さない限り、基板ケースシール２５０に剥離剤等を流し込めなくなるため、基板ケースシール２５０の剥離が困難となる。この場合、その基板ケースシール２５０の不正な再利用が行われ難くなるため、たとえば上蓋ケース２３０が不正に開けられて検査済みの１チップＲＯＭ２２１が裏ＲＯＭ又は不正ＲＯＭと呼ばれるものに差し替えられた後、精巧な偽造シールが貼着されてしまっても、たとえば基板ケースシール２５０の痕跡等から、上蓋ケース２３０が不正に開けられたかどうかを容易に確認することができる。
【００７５】
また、この場合、予め上蓋ケース２３０に精巧な偽造シールが貼着され、さらに不正な制御基板が収容された基板ケースが現在使用されている主制御基板ユニット２００と不正に差し替えられたりしても、上記同様に、たとえば基板ケースシール２５０の痕跡等から、主制御基板ユニット２００の不正な差し替えを容易に確認することができる。
【００７６】
なお、ここでは、基板ケースシール２５０が主制御基板２２０に貼着されるとともに、上蓋ケース２３０の主制御基板２２０側に向けて窪ませた凹部２３６の底面部２３７と主制御基板２２０との間に密着して挟持されるようにした場合について説明したが、上述した管理票２５５も同様に主制御基板２２０に貼着し、上蓋ケース２３０に凹部２３６と同様の凹部を設け、その凹部の底面部と主制御基板２２０との間に管理票２５５を密着して挟持させるようにしてもよい。
【００７７】
図５は、ロムシールを検査済みの１チップＲＯＭ２２１に貼着した場合の詳細を説明するための図である。ここで、図５（ａ）は図５（ｂ）に示すロムシールを横から見た場合を示し、図５（ｂ）は図３の主制御基板ユニット２００をＡ−Ａ線に沿って見た場合に相当し、図５（ｃ）は図５（ｂ）の上蓋ケース２３０を上方から見た場合を示している。
【００７８】
まず、図５（ａ）に示すように、ロムシール２６０の表裏面には、接着層２６４ａ，２６４ｂが設けられている。なお、接着層２６４ａ，２６４ｂの代わりに、接着剤を塗布するようにしてもよい。また、図５（ａ）では、部分的に接着層２６４ａ，２６４ｂが設けられている場合を示しているが、ロムシール２６０の表裏面の全域に接着層２６４ａ，２６４ｂを設けてもよい。
【００７９】
このようなロムシール２６０は、図５（ｂ），（ｃ）に示すように、上蓋ケース２３０の１チップＲＯＭ２２１側に向けて窪ませた凹部２３８の底面部２３９と１チップＲＯＭ２２１との間に密着して挟持されるとともに、ロムシール２６０の裏面が接着層２６４ｂによって１チップＲＯＭ２２１の側面と主制御基板２２０上に貼着され、ロムシール２６０の表面が接着層２６４ａを介して凹部２３８の底面部２３９に貼着される。
【００８０】
また、上蓋ケース２３０は、上述したように、上蓋ケース２３０の封止キャップ部２３２と本体ケース２１０の封止筒部２１３とに接続部材２０１を装着することで、上蓋ケース２３０が本体ケース２１０に結合される。
【００８１】
このようなことから、上蓋ケース２３０を本体ケース２１０から取り外さない限り、上記同様に、ロムシール２６０に剥離剤等を流し込めなくなるため、ロムシール２６０の剥離が困難となる。この場合、そのロムシール２６０の不正な再利用が行われ難くなるため、たとえば上蓋ケース２３０が不正に開けられて検査済みの１チップＲＯＭ２２１が裏ＲＯＭ又は不正ＲＯＭと呼ばれるものに差し替えられた後、精巧な偽造シールが貼着されてしまっても、ロムシール２６０の接着層２６４ａ，２６４ｂの引き剥がしによる痕跡等から上蓋ケース２３０が不正に開けられたかどうかを容易に確認することができる。
【００８２】
また、この場合、予め上蓋ケース２３０に精巧な偽造シールが貼着され、さらに不正な制御基板が収容された基板ケースが現在使用されている主制御基板ユニット２００と不正に差し替えられたりしても、上記同様に、ロムシール２６０の引き剥がしによる痕跡等から主制御基板ユニット２００の不正な差し替えを容易に確認することができる。
【００８３】
また、上述したように、基板ケースシール２５０又はロムシール２６０を上蓋ケース２３０の凹部２３６，２３８の底面部２３７，２３９と主制御基板２２０又は１チップＲＯＭ２２１との間に密着させて挟持させることに併せ、たとえば図６に示すように、主制御基板２２０と上蓋ケース２３０との間に隙間が生じないようにすることでも、基板ケースシール２５０又はロムシール２６０への剥離剤等の流し込みを困難とさせることに有効である。
【００８４】
ここで、図６（ａ）は図３の主制御基板ユニット２００をＡ−Ａ線に沿って見た場合に相当し、図６（ｂ）は図６（ａ）のＢ−Ｂ線に沿って見た場合を示している。この場合、図６（ａ）に示すように、主制御基板２２０は、上蓋ケース２３０に設けられたねじ穴を有する取付部としてのリブ２３９ａに取り付けるようにする。また、上蓋ケース２３０の周囲は、少なくとも主制御基板２２０の取り付け位置より突出するようにする。この場合、上蓋ケース２３０と主制御基板２２０との間に隙間が生じないようにすれば、なお好ましい。
【００８５】
このようにすることで、上蓋ケース２３０と本体ケース２１０との間がこじ開けられて、その間に隙間が生じても、たとえばロムシール２６０への剥離剤等の流し込みを困難とさせることができる。また、図６（ｂ）に示すように、上蓋ケース２３０と主制御基板２２０との間に隙間が生じないようにした場合は、さらにロムシール２６０への剥離剤等の流し込みを困難とさせることができる。なお、ロムシール２６０にあっては、上述した固有の識別情報を示すたとえば二次元コードのＱＲコードが付されていてもよい。
【００８６】
図７は、上述したＩＣタグシール２７０の貼着状態の詳細を説明するための図である。ここで、図７（ａ）は図７（ｂ）に示すＩＣタグシール２７０を横から見た場合を示し、図７（ｂ）は図３の主制御基板ユニット２００をＡ−Ａ線に沿って見た場合を示している。
【００８７】
まず、図７（ａ）に示すように、ＩＣタグシール２７０の裏面側、すなわち、ブラケット部材２４０に接する側の面には、本体製造番号（又は主基板番号）等の固有の識別情報を記憶している微小なＩＣチップ２７１や箔状アンテナ２７２をセロハン等でパッキングしたタグであるインレット２７３が貼着されている。このＩＣタグシール２７０のＩＣチップ２７１に対し、後述の読取装置５００によって読み取りが行われるとき、たとえば、まず読取装置５００からインレット２７３に演算結果が送られ、その演算結果に応じてＩＣチップ２７１から読取装置５００に返信が行われるが、その詳細については後述する。
【００８８】
なお、ＩＣタグシール２７０には、後述のように、固有の識別情報を示すたとえば二次元コードのＱＲコード２７５が付されていてもよい。また、ＩＣタグシール２７０の表裏面には、接着層２７４ａ，２７４ｂが設けられている。なお、接着層２７４ａ，２７４ｂの代わりに、接着剤を塗布するようにしてもよい。このようなＩＣタグシール２７０は、図７（ｂ）に示すように、本体ケース２１０の背面側とブラケット部材２４０との間に密着状態で貼着される。
【００８９】
このように、ＩＣタグシール２７０を本体ケース２１０の背面側とブラケット部材２４０との間に貼着することで、ＩＣタグシール２７０が主制御基板ユニット２００の背面側に位置しているため、不正を行う者に対してＩＣタグシール２７０の存在を分からないようにすることができる。また、たとえＩＣタグシール２７０の存在が知られたとしても、ＩＣタグシール２７０が主制御基板ユニット２００の背面側に位置していることから、ＩＣタグシール２７０に剥離剤等を流し込めなくなるため、ＩＣタグシール２７０の剥離が困難となる。
【００９０】
また、主制御基板ユニット２００がブラケット部材２４０から不正に取り外されると、微小なＩＣチップ２７１や箔状アンテナ２７２をセロハン等でパッキングしたインレット２７３がＩＣタグシール２７０の裏面の接着層２７４ｂの引き剥がしによって破壊される。
【００９１】
この場合、ＩＣタグシール２７０の不正な再利用ができなくなるとともに、ＩＣタグシール２７０の表裏面の接着層２７４ａ，２７４ｂの引き剥がしによる痕跡が残されるため、主制御基板ユニット２００のブラケット部材２４０からの不正な取り外しを容易に確認することができる。
【００９２】
このようなことから、たとえば主制御基板ユニット２００がブラケット部材２４０から不正に取り外された後、たとえば上蓋ケース２３０が不正に開けられて検査済みの１チップＲＯＭ２２１が裏ＲＯＭ又は不正ＲＯＭと呼ばれるものに差し替えられ、精巧な偽造シールが貼着されて、再度、ブラケット部材２４０に取り付けられても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００がブラケット部材２４０から不正に取り外されたことを容易に確認することができる。
【００９３】
同様に、予め上蓋ケース２３０に精巧な偽造シールが貼着され、さらに不正な制御基板が収容された基板ケースが現在使用されている主制御基板ユニット２００と不正に差し替えられたりしても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００がブラケット部材２４０から不正に取り外されたことを容易に確認することができる。
【００９４】
なお、主制御基板ユニット２００が上述したブラケット部材２４０を介さずに、直接、筐体２の内面に取り付けられる場合がある。この場合には、図８に示すように、主制御基板ユニット２００と筐体２の取付面との間にＩＣタグシール２７０が貼着されるようにする。
【００９５】
ここで、図８（ａ）は図８（ｂ）に示すＩＣタグシール２７０を横から見た場合を示し、図８（ｂ）は図３の主制御基板ユニット２００をＡ−Ａ線に沿って見た場合を示している。
【００９６】
すなわち、図８（ａ）に示すように、ＩＣタグシール２７０の裏面側、すなわち、筐体２の取付面に接する側の面には、上記同様に、主基板番号等のＩＣタグ識別情報を記憶している微小なＩＣチップ２７１や箔状アンテナ２７２をセロハン等でパッキングしたタグであるインレット２７３が貼着されている。また、ＩＣタグシール２７０の表裏面には、接着層２７４ａ，２７４ｂが設けられている。このようなＩＣタグシール２７０は、図８（ｂ）に示すように、本体ケース２１０の背面側と筐体２の取付面との間に密着状態で貼着される。
【００９７】
このように、ＩＣタグシール２７０を本体ケース２１０の背面側と筐体２の取付面との間に貼着することで、ＩＣタグシール２７０が主制御基板ユニット２００の背面側に位置しているため、上記同様に、不正を行う者に対してＩＣタグシール２７０の存在を分からないようにすることができる。また、たとえＩＣタグシール２７０の存在が知られたとしても、ＩＣタグシール２７０が主制御基板ユニット２００の背面側に位置していることから、上記同様に、ＩＣタグシール２７０に剥離剤等を流し込めなくなるため、ＩＣタグシール２７０の剥離が困難となる。
【００９８】
また、主制御基板ユニット２００が筐体２の取付面から不正に取り外されると、微小なＩＣチップ２７１や箔状アンテナ２７２をセロハン等でパッキングしたインレット２７３がＩＣタグシール２７０の裏面の接着層２７４ｂの引き剥がしによって破壊される。
【００９９】
この場合、ＩＣタグシール２７０の不正な再利用ができなくなるとともに、ＩＣタグシール２７０の表裏面の接着層２７４ａ，２７４ｂの引き剥がしによる痕跡が残されるため、主制御基板ユニット２００の筐体２の取付面からの不正な取り外しを容易に確認することができる。
【０１００】
このようなことから、たとえば主制御基板ユニット２００が筐体２の取付面から不正に取り外された後、たとえば上蓋ケース２３０が不正に開けられて検査済みの１チップＲＯＭ２２１が裏ＲＯＭ又は不正ＲＯＭと呼ばれるものに差し替えられ、精巧な偽造シールが貼着されて、再度、筐体２の取付面に取り付けられても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００が筐体２の取付面から不正に取り外されたことを容易に確認することができる。
【０１０１】
同様に、予め上蓋ケース２３０に精巧な偽造シールが貼着され、さらに不正な制御基板が収容された基板ケースが現在使用されている主制御基板ユニット２００と不正に差し替えられたりしても、ＩＣタグシール２７０の引き剥がしによる痕跡等の確認や、インレット２７３の微小なＩＣチップ２７１からのＩＣタグ識別情報の読み取りを行うことで、たとえば主制御基板ユニット２００が筐体２の取付面から不正に取り外されたことを容易に確認することができる。
【０１０２】
なお、ＩＣタグシール２７０にあっては、上述したように、本体ケース２１０の背面側に貼着されれば、たとえば主制御基板ユニット２００が筐体２の取付面から不正に取り外されたことを容易に確認することができるとした効果があるが、これに限らず、そのＩＣタグシール２７０を上蓋ケース２３０、主制御基板２２０、１チップＲＯＭ２２１等に貼着しておいてもよい。
【０１０３】
図９及び図１０は、上述した固有の識別情報を読み取る読取装置の一例を示す図である。ここで、図９は読取装置の外観を示す図、図１０は図９の読取装置の内部構成を示すブロック図である。
【０１０４】
まず、図９に示すように、読取装置５００は、ハンディタイプであり、少なくともタグ情報読取部５０１と、識別情報読取部５０１ａと、スピーカ５０２と、表示部５０３と、ランプ（ＬＥＤ）５０３ａ，５０３ｂ、操作部５０４とを有している。タグ情報読取部５０１は、無線通信によってＩＣタグシール２７０のＩＣチップ２７１の固有の識別情報を読み取るものである。ここで、その通信方式としては、静電結合方式、電磁結合方式、電磁誘導結合方式、マイクロ波方式、光方式のいずれかを用いることができる。
【０１０５】
識別情報読取部５０１ａは、たとえば基板ケースシール２５０の本体製造番号（又は主基板番号）等の固有の識別情報を示すＱＲコード２５１やＩＣタグシール２７０の本体製造番号（又は主基板番号）等の固有の識別情報を示すＱＲコード２７５等を、光スキャンによって読み取るものである。
【０１０６】
スピーカ５０２は、たとえばタグ情報読取部５０１又は識別情報読取部５０１ａによる読取完了を音声によって知らせるものである。なお、タグ情報読取部５０１又は識別情報読取部５０１ａによる読取エラーが生じた場合に、スピーカ５０２からエラー音が出力されるようにしてもよい。表示部５０３は、識別情報読取部５０１ａによって読み取られた固有の識別情報、後述のＣＰＵ５１２による演算結果、ＩＣタグシール２７０のＩＣチップ２７１からの返信内容等を表示するものである。
【０１０７】
すなわち、たとえば基板ケースシール２５０のＱＲコード２５１やＩＣタグシール２７０のＱＲコード２７５が文字コードであるたとえばアスキーコードを用いたものであって、その内容が「１２３／５６７８」とした本体製造番号であるとき、識別情報読取部５０１ａによっていずれかのＱＲコード２５１，２７５が読み取られると、アスキーコードの「３１ｈ  ３２ｈ  ３３ｈ  ２Ｆｈ  ３５ｈ  ３６ｈ  ３７ｈ  ３８ｈ」が表示されることになる（図１２のアスキーコード表を参照）。
【０１０８】
一方、上述したＩＣタグシール２７０のＩＣチップ２７１には、そのアスキーコードの「３１ｈ  ３２ｈ  ３３ｈ  ２Ｆｈ  ３５ｈ  ３６ｈ  ３７ｈ  ３８ｈ」を所定の演算ルールに従って圧縮したデータが固有の識別情報として記憶されている。
【０１０９】
ここで、所定の演算ルールの一例として、たとえば第１データとなる「３１ｈ」を残し、第２データ以降の「３２ｈ  ３３ｈ  ２Ｆｈ  ３５ｈ  ３６ｈ  ３７ｈ  ３８ｈ」については、「３１ｈ」を基準アドレスとした相対アドレスに置き換えるようにする。この場合、「３１ｈ  ０１ｈ  ０２ｈ  ＦＥｈ  ０４ｈ  ０５ｈ  ０６ｈ  ０７ｈ」となる。なお、上述の「／」に相当する相対アドレスの「ＦＥｈ」は、後述の図１２のアスキーコード表から、基準アドレスとした「３１ｈ」に対し、２つ前に位置（−２）していることを示している。
【０１１０】
なお、ここでは、第１データとなる「３１ｈ」を基準アドレスとしているが、第２データ以降のいずれかを基準アドレスとしてもよいことは勿論である。また、この場合、上述の「１２３／５６７８」とした本体製造番号の「１」に該当するアスキーコードの「３１ｈ」を基準アドレスとするとき、たとえば図１３に示すように、第１データの「１」を００ｈに置き換え、第２データ以降の「２３／５６７８」を順に置き換えるようにすることでも、「３１ｈ」を基準アドレスとした相対アドレスに置き換えることができる。
【０１１１】
また、ここでのアスキーコードは、７ビットで表現されているため、さらに第２データ以降については、上位３ビットを省き、下位４ビットのみで表現する。この場合、上記のアスキーコードは、「３１１２ＦＥ４５６７ｈ」のように圧縮されたデータとなり、この圧縮されたデータがＩＣタグシール２７０のＩＣチップ２７１に記憶される。
【０１１２】
このような「３１１２ＦＥ４５６７ｈ」は、不正に読み取られるようなことがあっても、所定の演算ルールが不正に取得されない限り、何ら意味をもたないため、不正利用防止に有効である。なお、ここでは、第１データとなる「３１ｈ」を基準としているが、他のデータを基準としてもよいことは勿論である。また、ここでは、ＩＣタグシール２７０のＱＲコード２７５やＩＣタグシール２７０のＩＣチップ２７１の固有の識別情報をアスキーコードに基づいたものとしているが、これに限らず、ＪＩＳコード等の他の文字コードであってもよい。
【０１１３】
ここで、後述のＣＰＵ５１２によるＩＣタグシール２７０のＱＲコード２７５からの固有の識別情報のデータを演算すると、アスキーコードの「３１ｈ  ３２ｈ  ３３ｈ  ２Ｆｈ  ３５ｈ  ３６ｈ  ３７ｈ  ３８ｈ」が「３１１２ＦＥ４５６７ｈ」となり、その演算結果の「３１１２ＦＥ４５６７ｈ」が表示されることになる。そして、その演算結果の「３１１２ＦＥ４５６７ｈ」がＩＣタグシール２７０のタグであるインレット２７３に送信されると、ＩＣチップ２７１によるたとえば「３１１２ＦＥ４５６７ｈ」−「３１１２ＦＥ４５６７ｈ」とした減算処理による「０」が返信され、その「０」が表示されることになる。
【０１１４】
ここで、たとえば表示部５０３に表示されるＩＣチップ２７１からの返信内容の「０」を確認することで、たとえば基板ケースシール２５０のＱＲコード２５１からの固有の識別情報と、ＩＣタグシール２７０のＩＣチップ２７１に記憶されている固有の識別情報とが一致しているかどうかを確認することができ、少なくとも基板ケースシール２５０やＩＣタグシール２７０が偽造シールに貼り替えられたかどうかを認識できる。
【０１１５】
なお、ここでは、ＩＣチップ２７１からの返信内容の「０」を確認するようにしているが、これに限らず、ＩＣチップ２７１から読み取った「３１１２ＦＥ４５６７ｈ」を読取装置５００側で復元し、ＩＣタグシール２７０のＱＲコード２７５から読み取った固有の識別情報と照合させるようにしてもよい。
【０１１６】
また、上述した管理票２５５、ロムシール２６０、証紙５０に本体製造番号（又は主基板番号）を示すＱＲコードを付しておいて、上記同様に、そのＱＲコードを読み取り、その演算結果をＩＣタグシール２７０のタグであるインレット２７３に送信し、ＩＣチップ２７１からの返信内容を確認することで、少なくとも管理票２５５、ロムシール２６０、証紙５０が偽造シールに貼り替えられたかどうかを認識できる。
【０１１７】
また、表示部５０３に表示されるＩＣチップ２７１からのそれぞれの返信内容を確認することで、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを容易に検査することができる。
【０１１８】
一方、ＩＣタグシール２７０のＩＣチップ２７１からの固有の識別情報の読み取りが行われなかったり、ＩＣチップ２７１からの返信内容がたとえば「０」で無かったりした場合は、少なくとも主制御基板ユニット２００が不正に取り外されたことを認識できる。
【０１１９】
また、たとえば基板ケースシール２５０のＱＲコード２５１からの固有の識別情報と、ＩＣタグシール２７０のＩＣチップ２７１からの固有の識別情報との読み取りは、ハンディタイプの読取装置５００により非接触で行われるため、少なくとも一日に一回は行われるたとえば主制御基板２２０上の各電子素子等の状態の確認作業に併せた上述の検査を容易に行うことができる。
【０１２０】
ランプ（ＬＥＤ）５０３ａ，５０３ｂは、たとえばＩＣタグシール２７０のＩＣチップ２７１から返信内容が正解（たとえば「０」である場合）であるかどうかを点灯又は点滅によって表示するものである。すなわち、ランプ（ＬＥＤ）５０３ａが青で発光し、ランプ（ＬＥＤ）５０３ｂが赤で発光するものとする。ここで、ＩＣタグシール２７０のＩＣチップ２７１から返信内容がたとえば「０」であるとき、ランプ（ＬＥＤ）５０３ａが点灯又は点滅する。一方、ＩＣタグシール２７０のＩＣチップ２７１から返信内容がたとえば「０」以外であるとき、ランプ（ＬＥＤ）５０３ｂが点灯又は点滅する。これらのランプ（ＬＥＤ）５０３ａ，５０３ｂの点灯又は点滅から上述の検査の結果を容易に確認できる。
【０１２１】
なお、点灯又は点滅にあっては、ＩＣタグシール２７０側にＬＥＤを設けておいて、ＩＣチップ２７１による減算処理の結果が「０」である場合、そのＬＥＤが点灯又は点滅されるようにしてもよい。また、ＬＥＤはたとえば青色と赤色の２つとし、ＩＣチップ２７１による減算処理の結果が「０」である場合、青色のＬＥＤが点灯又は点滅し、その減算処理の結果が「０」以外である場合、赤色のＬＥＤを点灯又は点滅させるようにしてもよい。この場合、ＩＣタグシール２７０側のＬＥＤの点灯又は点滅によって上述の検査の結果を容易に確認できる。
【０１２２】
操作部５０４は、図１０に示すように、少なくともＩＣタグシール２７０のＩＣチップ２７１の固有の識別情報を読み取る際に操作されるタグ情報読取キー５０４ａと、たとえば基板ケースシール２５０のＱＲコード２５１やＩＣタグシール２７０のＱＲコード２７５等を読み取る際に操作される識別情報読取キー５０４ｂとを有している。
【０１２３】
また、読取装置５００の内部には、図１０に示すように、読取駆動部５０５、読取情報処理部５０６、スピーカ駆動部５０７、表示駆動部５０８、内部Ｉ／Ｆ（インタフェース）５０９、ＲＯＭ５１０、ＲＡＭ５１１、ＣＰＵ５１２等が設けられている。
【０１２４】
読取駆動部５０５は、タグ情報読取キー５０４ａの操作に応じてタグ情報読取部５０１に対し、ＩＣタグシール２７０のＩＣチップ２７１に記憶されている固有の識別情報を読み取るための信号を送信させ、さらにＩＣタグシール２７０のＩＣチップ２７１からの返信信号を受け取らせる。また、読取駆動部５０５は、識別情報読取キー５０４ｂの操作に応じて識別情報読取部５０１ａに対し、たとえば基板ケースシール２５０のＱＲコード２５１やＩＣタグシール２７０のＱＲコード２７５等を読み取らせる。
【０１２５】
読取情報処理部５０６は、ＩＣタグシール２７０のＩＣチップ２７１から受け取った信号を処理し、表示部５０３に表示される表示信号とする。また、読取情報処理部５０６は、識別情報読取部５０１ａによって読み取られたＱＲコード２５１，２７５の固有の識別情報を処理し、表示部５０３に表示される表示信号とする。
【０１２６】
スピーカ駆動部５０７は、たとえばタグ情報読取部５０１又は識別情報読取部５０１ａによる読取完了を示す音声、あるいはタグ情報読取部５０１又は識別情報読取部５０１ａによる読取エラーが生じた場合のエラー音をスピーカ５０２から出力させる。
【０１２７】
表示駆動部５０８は、読取情報処理部５０６によって処理された表示信号に基づき、表示部５０３に、固有の識別情報やＩＣタグシール２７０のＩＣチップ２７１からの返信内容等を表示させる。また、表示駆動部５０８は、ＩＣタグシール２７０のＩＣチップ２７１から返信内容がたとえば「０」であるとき、ランプ（ＬＥＤ）５０３ａを点灯又は点滅させ、ＩＣタグシール２７０のＩＣチップ２７１から返信内容がたとえば「０」以外であるとき、ランプ（ＬＥＤ）５０３ｂが点灯又は点滅させる。
【０１２８】
内部Ｉ／Ｆ（インタフェース）５０９は、操作部５０４の少なくともＩＣタグシール２７０のＩＣチップ２７１の固有の識別情報を読み取る際に操作されるタグ情報読取キー５０４ａと、たとえば基板ケースシール２５０のＱＲコード２５１やＩＣタグシール２７０のＱＲコード２７５等を読み取る際に操作される識別情報読取キー５０４ｂとのいずれかからの入力を受け付ける。
【０１２９】
ＲＯＭ５１０には、少なくともＣＰＵ５１２による制御に必要な制御プログラムが格納されている。ＲＡＭ５１１には、タグ情報読取部５０１によって読み取られたＩＣタグシール２７０のＩＣチップ２７１からの返信内容や、識別情報読取部５０１ａによって読み取られたたとえば基板ケースシール２５０のＱＲコード２５１やＩＣタグシール２７０のＱＲコード２７５からの固有の識別情報等が記憶される。
【０１３０】
ＣＰＵ５１２は、ＲＯＭ５１０に格納されている制御プログラムに基づいて各部の動作を制御する。ＣＰＵ５１０による主な制御としては、ＩＣタグシール２７０のＩＣチップ２７１の固有の識別情報を読み取る際のタグ情報読取キー５０４ａの操作に応じて読取駆動部５０５を制御し、タグ情報読取部５０１によってその固有の識別情報を読み取らせることである。
【０１３１】
また、ＣＰＵ５１２による主な制御としては、たとえば基板ケースシール２５０のＱＲコード２５１やＩＣタグシール２７０のＱＲコード２７５を読み取る際に操作される識別情報読取キー５０４ｂの操作に応じて読取駆動部５０５を制御し、識別情報読取部５０１ａによってそれらの固有の識別情報を読み取らせることである。
【０１３２】
また、ＣＰＵ５１２による主な制御としては、タグ情報読取部５０１によってＩＣタグシール２７０のＩＣチップ２７１の固有の識別情報（この場合は返信内容である）が読み取られた後、読取情報処理部５０６に対し、その固有の識別情報を表示信号とするように処理させることである。また、ＣＰＵ５１２による主な制御としては、識別情報読取部５０１ａによってたとえば基板ケースシール２５０のＱＲコード２５１やＩＣタグシール２７０のＱＲコード２７５が読み取られた後、読取情報処理部５０６に対し、それらの固有の識別情報を表示信号とするように処理させることである。
【０１３３】
このような読取装置５００を用いることにより、次のような検査を行うことができる。なお、以下においては、読取装置５００によってたとえば基板ケースシール２５０のＱＲコード２５１からの固有の識別情報が読み取られるとともに、ＩＣタグシール２７０のＩＣチップ２７１からの読み取りが行われるものとする。
【０１３４】
また、たとえば基板ケースシール２５０のＱＲコード２５１は、たとえばアスキーコードのデータを用いて生成されたものとし、その内容が「１２３／５６７８」とした本体製造番号であるとし、識別情報読取部５０１ａによってそのＱＲコード２５１が読み取られると、アスキーコードの「３１ｈ  ３２ｈ  ３３ｈ  ２Ｆｈ  ３５ｈ  ３６ｈ  ３７ｈ  ３８ｈ」が表示部５０３に表示されるものとする。また、ＩＣタグシール２７０のＩＣチップ２７１には、上述したように、所定の演算ルールで、たとえば第１データとなる「３１ｈ」を残し、第２データ以降の「３２ｈ  ３３ｈ  ２Ｆｈ  ３５ｈ  ３６ｈ  ３７ｈ  ３８ｈ」について、「３１ｈ」を基準アドレスとした相対アドレスに置き換え、さらに下位４ビットのみで表現した「３１１２ＦＥ４５６７ｈ」とする圧縮されたデータが固有の識別情報として記憶されているものとする。また、主制御基板ユニット２００はブラケット部材２４０を介して筐体２に取り付けられ、ＩＣタグシール２７０は本体ケース２１０の背面側とブラケット部材２４０との間に貼着されているものとする。
【０１３５】
そして、まず、図１１に示すように、少なくとも一日に一回は行われるたとえば主制御基板２２０上の各電子素子等の状態の確認作業に併せ、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを検査を開始する場合（ステップＳ１）、前扉３の操作卓部２０の鍵穴２５に専用鍵を差し込んでロックを解除し、前扉３を開放しておく。
【０１３６】
次いで、読取装置５００の識別情報読取部５０１ａを、上蓋ケース２３０の凹部２３６の底面部２３７と主制御基板２２０との間に貼着されている基板ケースシール２５０に近づけ、操作部５０４の識別情報読取キー５０４ｂを操作する。このとき、上述したように、ＣＰＵ５１２により、読取駆動部５０５が制御され、識別情報読取部５０１ａによって基板ケースシール２５０の固有の識別情報を示すＱＲコード２５１が光スキャンによって読み取られ（ステップＳ２）、その読み取られた固有の識別情報が一旦、ＲＡＭ５１１に記憶される。
【０１３７】
ここで、ＣＰＵ５１２により、ＱＲコード２５１から読み取られたたとえば本体製造番号の「１２３／５６７８」がアスキーコードの「３１ｈ  ３２ｈ  ３３ｈ  ２Ｆｈ  ３５ｈ  ３６ｈ  ３７ｈ  ３８ｈ」に変換されて読取情報処理部５０６に渡される。読取情報処理部５０６では、その変換されたアスキーコードを表示部５０３で表示できる表示信号に処理すると、ＣＰＵ５１２により、表示駆動部５０８が制御され、読取情報処理部５０６によって処理された表示信号に基づき、表示部５０３に読み取られた固有の識別情報が表示される（ステップＳ３）。
【０１３８】
すなわち、ＱＲコード２５１から読み取られた本体製造番号の「１２３／５６７８」がアスキーコードに変換されることで、「３１ｈ  ３２ｈ  ３３ｈ  ２Ｆｈ  ３５ｈ  ３６ｈ  ３７ｈ  ３８ｈ」とした固有の識別情報が表示されることになる。
【０１３９】
このとき、ＣＰＵ５１２による所定の演算ルールに従った処理によって（ステップＳ４）、たとえば第１データとなる「３１ｈ」を残し、第２データ以降の「３２ｈ  ３３ｈ  ２Ｆｈ  ３５ｈ  ３６ｈ  ３７ｈ  ３８ｈ」については、「３１ｈ」を基準アドレスとした相対アドレスへの置き換えが行われる。次いで、アスキーコードは、７ビットで表現されているため、さらに第２データ以降については、上位３ビットを省き、下位４ビットのみを用い、「３１１２ＦＥ４５６７ｈ」とした圧縮されたデータを得る。
【０１４０】
そして、その演算結果の「３１１２ＦＥ４５６７ｈ」が表示部５０３に表示される（ステップＳ５）。次いで、タグ情報読取部５０１を、本体ケース２１０の背面側とブラケット部材２４０との間に貼着されているＩＣタグシール２７０に近づけ、操作部５０４のタグ情報読取キー５０４ａを操作する。このとき、ＣＰＵ５１２による演算結果の「３１１２ＦＥ４５６７ｈ」がＩＣタグシール２７０のタグであるインレット２７３に送信される（ステップＳ６）。
【０１４１】
タグであるインレット２７３では、ＩＣチップ２７１によりたとえば「３１１２ＦＥ４５６７ｈ」−「３１１２ＦＥ４５６７ｈ」とした減算による演算処理が行われ（ステップＳ７）、その処理結果が返信される（ステップＳ８）。すなわち、その減算による処理結果が「０」である場合はその「０」が返信内容となる。これに対し、その減算による処理結果が「０」以外である場合はその「０」以外の値が返信内容となる。
【０１４２】
次に、読取装置５００によりＩＣチップ２７１からの返信が受け取られると、表示駆動部５０８により表示部５０３にＩＣタグシール２７０のＩＣチップ２７１から返信内容が表示される（ステップＳ９）。すなわち、その返信内容が「０」であればその「０」が表示され、その返信内容が「０」以外であればその「０」以外の値が表示される。また、表示駆動部５０８により、その返信内容が「０」であればランプ（ＬＥＤ）５０３ａが点灯又は点滅され、その返信内容が「０」以外であればランプ（ＬＥＤ）５０３ｂが点灯又は点滅される（ステップＳ１０）。
【０１４３】
この場合、たとえばＩＣタグシール２７０側にＬＥＤを設けておいて、ＩＣチップ２７１による減算処理の結果が「０」である場合、そのＬＥＤが点灯又は点滅されるようにしてもよい。また、ＬＥＤはたとえば青色と赤色の２つとし、ＩＣチップ２７１による減算処理の結果が「０」である場合、青色のＬＥＤが点灯又は点滅し、その減算処理の結果が「０」以外である場合、赤色のＬＥＤを点灯又は点滅させるようにしてもよい。
【０１４４】
そして、表示部５０３に表示されるＩＣタグシール２７０のＩＣチップ２７１から返信内容やランプ（ＬＥＤ）５０３ａ又は５０３ｂの点灯又は点滅を確認することで、たとえば基板ケースシール２５０のＱＲコード２５１からの固有の識別情報と、ＩＣタグシール２７０のＩＣチップ２７１に記憶されている固有の識別情報とが一致しているかどうかを確認することができる。
【０１４５】
すなわち、たとえば表示部５０３に表示されるＩＣチップ２７１からの返信内容が「０」であれば、たとえば基板ケースシール２５０のＱＲコード２５１からの固有の識別情報と、ＩＣタグシール２７０のＩＣチップ２７１に記憶されている固有の識別情報とが一致していると確認できる。このとき、ランプ（ＬＥＤ）５０３ａが点灯又は点滅することを確認することでも、たとえば基板ケースシール２５０のＱＲコード２５１からの固有の識別情報と、ＩＣタグシール２７０のＩＣチップ２７１に記憶されている固有の識別情報とが一致していると確認できる。
【０１４６】
これに対し、たとえば表示部５０３に表示されるＩＣチップ２７１からの返信内容が「０」以外であれば、たとえば基板ケースシール２５０のＱＲコード２５１からの固有の識別情報と、ＩＣタグシール２７０のＩＣチップ２７１に記憶されている固有の識別情報とが一致していないと確認できる。このとき、ランプ（ＬＥＤ）５０３ｂが点灯又は点滅することを確認することでも、たとえば基板ケースシール２５０のＱＲコード２５１からの固有の識別情報と、ＩＣタグシール２７０のＩＣチップ２７１に記憶されている固有の識別情報とが一致していないと確認できる。
【０１４７】
また、表示部５０３に表示されるＩＣチップ２７１からのそれぞれの返信内容やランプ（ＬＥＤ）５０３ａ又は５０３ｂの点灯又は点滅を確認することで、少なくとも基板ケースシール２５０やＩＣタグシール２７０が偽造シールに貼り替えられたかどうかを認識できる。
【０１４８】
また、表示部５０３に表示されるＩＣチップ２７１からのそれぞれの返信内容やランプ（ＬＥＤ）５０３ａ又は５０３ｂの点灯又は点滅を確認することで、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを容易に検査することができる。
【０１４９】
一方、ＩＣタグシール２７０のＩＣチップ２７１からの固有の識別情報の読み取りが行われなかったり、ＩＣチップ２７１からの返信内容がたとえば「０」で無かったりした場合は、少なくとも主制御基板ユニット２００が不正に取り外されたことを認識できる。
【０１５０】
また、このような読取装置５００による、たとえば基板ケースシール２５０のＱＲコード２５１からの固有の識別情報の読み取りと、ＩＣタグシール２７０のＩＣチップ２７１からの読み取りとを、他のスロットマシン１でも同様に繰り返し行うことで、上述した検査が容易に行える。また、複数台のスロットマシン１に対して順々に検査する際、読取装置５００を持ち運ぶことになるが、読取装置５００がハンディタイプであることから、その持ち運びが負担になることもない。
【０１５１】
また、上述したスロットマシン１の検査方法の手順を読取装置５００の表示部５０３に表示しておくようにしてもよく、このようにした場合は、検査の初心者であっても検査を容易に実行することが可能となる。
【０１５２】
なお、ここでは、たとえば基板ケースシール２５０のＱＲコード２５１からの固有の識別情報の読み取りと、ＩＣタグシール２７０のＩＣチップ２７１からの読み取りとを行う場合で説明したが、この例に限らず、上述した管理票２５５、ロムシール２６０、証紙５０に本体製造番号（又は主基板番号）を示すＱＲコードを付しておいて、上記同様に、そのＱＲコードを読み取り、その演算結果をＩＣタグシール２７０のタグであるインレット２７３に送信し、ＩＣチップ２７１からの返信内容を確認することで、少なくとも管理票２５５、ロムシール２６０、証紙５０が偽造シールに貼り替えられたかどうかを認識できる。
【０１５３】
このような様々な検査方法等を、以下の他の検査方法１〜７により説明する。
【０１５４】
（他の検査方法１）
基板ケースシール２５０を貼着せずに、少なくとも数字等の文字による印刷された固有の識別情報である主基板番号を有するロムシール２６０を主制御基板２２０又は１チップＲＯＭ２２１に貼着する。この場合、ＩＣタグシール２７０のＩＣチップ２７１に主基板番号を示す固有の識別情報（この場合、ＩＣチップ２７１に記憶されるデータは、上述したたとえばアスキーコードが所定の演算ルールに従って圧縮されたデータとする）を記憶させておく。そして、読取装置５００により、たとえば管理票２５５のＱＲコードから固有の識別情報を読み取って、その読み取った情報を上述したように所定の演算ルールに従って圧縮されたデータとし、その圧縮したデータをＩＣチップ２７１に送信し、ＩＣチップ２７１からの返信内容を受け取る。これにより、ＩＣタグシール２７０のＩＣチップ２７１から受け取った内容と、たとえば管理票２５５のＱＲコードから読み取った固有の識別情報との確認により、一致又は不一致を確認することができる。また、ＩＣタグシール２７０のＩＣチップ２７１から受け取った内容と、管理票２５５に印刷されている主基板番号又はロムシール２６０に印刷されている主基板番号との確認により、一致又は不一致を確認することもできる。また、ロムシール２６０を主制御基板２２０又は１チップＲＯＭ２２１に貼着されるようにしておけば、上蓋ケース２３０に半田ごて等の熱によって穴が開けらた際、その穴が偽造されたシールで覆われていても、本来貼着されていないシールが貼着されているということを確認でき、たとえば検査済みの１チップＲＯＭ２２１を裏ＲＯＭ又は不正ＲＯＭと呼ばれるものに不正に差し替えられたことを直ちに確認することができる。
【０１５５】
（他の検査方法２）
たとえば上蓋ケース２３０に貼着される基板ケースシール２５０には、数字等の文字による上述した主基板番号が印刷によって付されているようにする。この場合、ロムシール２６０は不要とする。また、この場合、検査済みの１チップＲＯＭ２２１をセキュリティーを高めたＶ４チップと呼ばれるものとし、ＩＣタグシール２７０のＩＣチップ２７１にはたとえばＶ４チップのロット番号を示す二次元コードであるＱＲコードデータを上述したように圧縮して書き込むようにする。さらに、基板ケースシール２５０には、たとえばロット番号を示す二次元コードであるＱＲコードと、そのロット番号とを印刷等によって付しておく。このように、ＩＣタグシール２７０のＩＣチップ２７１にＶ４チップのＱＲコードデータ（圧縮したデータ）を書き込むようにすることで、読取装置５００によりＩＣチップ２７１からセキュリティーを高めた返信内容を受け取ることができる。また、ＩＣチップ２７１にＶ４チップのＱＲコードデータ（圧縮したデータ）を書き込むようにすることで、ＩＣタグシール２７０を偽造されたシールに貼り替えようとしても、その偽造されたシールにＩＣタグシール２７０に設けられているＩＣチップ２７１を設ける必要があるばかりか、そのＩＣチップ２７１にＶ４チップのＱＲコードデータ（圧縮したデータ）を書き込む必要があるため、シールの偽造を困難とすることができる。
【０１５６】
（他の検査方法３）
基板ケースシール２５０を貼着せずに、少なくとも数字等の文字による印刷された上述の主基板番号を有するロムシール２６０を主制御基板２２０又は１チップＲＯＭ２２１に貼着する。この場合、ＩＣタグシール２７０のＩＣチップ２７１に上述したＶ４チップのＱＲコードデータ（圧縮したデータ）を記憶させておく。これにより、上記同様に、上蓋ケース２３０に半田ごて等の熱によって穴が開けられた際、その穴が偽造されたシールで覆われていても、本来貼着されていないシールが貼着されているということを確認できる。また、固有の識別情報を上述したＶ４チップのＱＲコードデータとする必要があるため、シールの偽造を困難とすることができる。
【０１５７】
（他の検査方法４）
たとえば上蓋ケース２３０に上述した基板ケースシール２５０を貼着する。この場合、ロムシール２６０は不要とする。また、この場合、ＩＣタグシール２７０のＩＣチップ２７１にはＶ４チップのＱＲコードデータ（圧縮したデータ）と主基板番号（圧縮したデータ）とを書き込むようにする。このように、ＩＣチップ２７１にＶ４チップのＱＲコードデータ（圧縮したデータ）と主基板番号（圧縮したデータ）とを書き込むようにすることで、読取装置５００によりＩＣチップ２７１からセキュリティーを高めたデータ及び主基板番号とに基づいた返信内容を受け取ることができる。また、ＩＣチップ２７１にＶ４チップのＱＲコードデータ（圧縮したデータ）と主基板番号（圧縮したデータ）とを書き込むようにすることで、そのＩＣチップ２７１にＶ４チップのＱＲコードデータ（圧縮したデータ）と主基板番号（圧縮したデータ）とを書き込む必要があるため、シールの偽造を困難とすることができる。
【０１５８】
（他の検査方法５）
基板ケースシール２５０を貼着せずに、少なくともＱＲコードと主基板番号とを有するロムシール２６０を主制御基板２２０又は１チップＲＯＭ２２１に貼着する。この場合、ＩＣタグシール２７０のＩＣチップ２７１にＱＲコードデータ（圧縮したデータ）と主基板番号（圧縮したデータ）とを記憶させておく。これにより、たとえば上蓋ケース２３０に半田ごて等の熱によって穴が開けられた際、その穴が偽造されたシールで覆われていても、本来貼着されていないシールが貼着されているということを確認できる。また、固有の識別情報を上述したＶ４チップのＱＲコードデータと主基板番号とを含むようにする必要があるため、シールの偽造を困難とすることができる。
【０１５９】
（他の検査方法６）
上述したＩＣタグシール２７０のＩＣチップ２７１の固有の識別情報をユニークＩＤ（圧縮したデータ）とする。この場合、そのユニークＩＤ（圧縮したデータ）に、たとえば所定のデータを付加しておいてもよい。このように、固有の識別情報を少なくともユニークＩＤ（圧縮したデータ）とすることで、シールの偽造しようとする者は、その少なくともユニークＩＤ（圧縮したデータ）を取得することができず、シールの偽造を困難とすることができる。
【０１６０】
（他の検査方法７）
上述した基板ケースシール２５０及びロムシール２６０を貼着せずに、上述した管理票２５５にユニークＩＤとＱＲコード等による主基板番号とを付すようにする。この場合、ＩＣタグシール２７０のＩＣチップ２７１にユニークＩＤ（圧縮したデータ）と主基板番号（圧縮したデータ）とを記憶させておく。これにより、たとえば管理票２５５から読み取ったＱＲコードからの固有の識別情報と、ＩＣタグシール２７０のＩＣチップ２７１から得られる返信内容との確認により、一致又は不一致を確認することができる。
【０１６１】
このように、本実施例では、読取装置５００により、たとえば主制御基板２２０に貼着される封印シールとしての基板ケースシール２５０のたとえば本体製造番号（又は主基板番号）を示す固有の第１識別情報を有するＱＲコード２５１の非接触での読み取りを行った後、第１識別情報のデータを所定の演算ルールに従って圧縮した第２識別情報を記憶する記憶手段としてのＩＣチップ２７１を有したＩＣタグシール２７０からの非接触での読み取りを行うようにした。
【０１６２】
その際、読取装置５００により読み取った第１識別情報のデータを所定の演算ルール、すなわち、たとえばアスキーコードの第１データとなる「３１ｈ」を残し、第２データ以降の「３３ｈ  ２Ｆｈ  ３５ｈ  ３６ｈ  ３７ｈ  ３８ｈ」について、「３１ｈ」を基準アドレスとした相対アドレスに置き換え、さらに下位４ビットのみで表現した「３１１２ＦＥ４５６７ｈ」として圧縮し、ＩＣタグシール２７０のＩＣチップ２７１に送信すると、そのＩＣチップ２７１による四則算のいずれかによっての演算結果が読み取られる。そして、その演算結果を確認することで、少なくとも一日に一回は行われるたとえば主制御基板２２０上の各電子素子等の状態の確認作業に併せて、検査済みの１チップＲＯＭ２２１が裏ＲＯＭ又は不正ＲＯＭと呼ばれるものに不正に差し替えられていないかどうか、あるいは不正な制御基板が収容された基板ケースが現在使用されている主制御基板ユニット２００と不正に差し替えられていないかどうかを容易に検査することができる。
【０１６３】
また、本実施例では、ＩＣタグシール２７０のＩＣチップ２７１に、上述した所定の演算ルールに従って圧縮された「３１１２ＦＥ４５６７ｈ」のようなデータを記憶させるようにしたので、そのＩＣチップ２７１からのデータが不正に読み取られるようなことがあっても、所定の演算ルールが不正に取得されない限り、何ら意味をもたないため（いわゆる暗号化されたデータと同等）、不正利用防止に有効となる。
【０１６４】
また、本実施例では、たとえば基板ケースシール２５０のＱＲコード２５１からの固有の識別情報の読み取りと、ＩＣタグシール２７０のＩＣチップ２７１からの読み取りとを行う場合に限らず、上述した管理票２５５、ロムシール２６０、証紙５０に本体製造番号（又は主基板番号）を示すＱＲコードを付しておいて、上記同様に、そのＱＲコードを読み取り、その演算結果をＩＣタグシール２７０のタグであるインレット２７３に送信し、ＩＣチップ２７１からの返信内容を確認するようにしてもよく、この場合には、少なくとも管理票２５５、ロムシール２６０、証紙５０が偽造シールに貼り替えられたかどうかを認識できる。
【０１６５】
なお、本実施例では、読取装置５００により読み取った第１識別情報のデータを所定の演算ルールに従って圧縮してＩＣタグシール２７０のＩＣチップ２７１に送信し、そのＩＣチップ２７１による四則算のいずれかによっての演算結果が読み取る場合について説明したが、この例に限らず、読取装置５００によりＩＣタグシール２７０のＩＣチップ２７１のデータを圧縮した固有の識別情報を読み取り、その読み取った固有の識別情報のデータを読取装置５００側で所定の演算ルールに従って復元し、たとえば基板ケースシール２５０のＱＲコード２５１から読み取った固有の識別情報と照合するようにしてもよい。
【０１６６】
ここでの復元に際しては、ＩＣタグシール２７０のＩＣチップ２７１に記憶すべきデータを圧縮する際の手順の逆を行うようにすればよい。すなわち、ＩＣタグシール２７０のＩＣチップ２７１から読み取った固有の識別情報からまず上述したアスキーコードである第１データの「３１ｈ」を判別し、第２データ以降はその「３１ｈ」の基準アドレスに対する相対アドレスからアスキーコードに置き換えるようにすればよい。
【０１６７】
また、本実施例では、所定の演算ルールとして、たとえばアスキーコードの第１データとなる「３１ｈ」を残し、第２データ以降の「３３ｈ  ２Ｆｈ  ３５ｈ  ３６ｈ  ３７ｈ  ３８ｈ」について、「３１ｈ」を基準アドレスとした相対アドレスに置き換え、さらに下位４ビットのみで表現した「３１１２ＦＥ４５６７ｈ」として圧縮したデータを用いる場合で説明したが、次のような所定の演算ルールに従って圧縮されたデータを用いることも可能である。
【０１６８】
すなわち、図１２に示すアスキーコード表において、固有の識別情報として用いる、たとえば本体製造番号（又は主基板番号）は、２Ｄｈの「−」〜３９ｈの「９」のコードで足りている。この場合、アスキーコード表の左部分に示すように、２Ｃｈを基準アドレスとして、上述したたとえば第２データ以降の「３３ｈ  ２Ｆｈ  ３５ｈ  ３６ｈ  ３７ｈ  ３８ｈ」について相対アドレスに置き換えるようにすることも可能である。
【０１６９】
この場合、たとえば本体製造番号の「１２３−５６７８」がアスキーコードに変換されることで、「０５ｈ  ０６ｈ  ０７ｈ  ０１ｈ  ０９ｈ  ０Ａｈ  ０Ｂｈ  ０Ｃｈ」に置き換えられ、さらに上位３ビットを省き下位４ビットのみで表現した「５６７１９ＡＢＣｈ」として圧縮したデータを用いることができる。このようにな演算ルールに従うと、アスキーコードに変換した全てのデータに対して下位４ビットのみで表現できるため、さらにデータ量を少なくすることができる。すなわち、下位４ビットのみで表現できるため、データ量を半分にすることができる。
【０１７０】
しかも、このような演算ルールは、特有なものであるため、そのＩＣチップ２７１からのデータが不正に読み取られるようなことがあっても、所定の演算ルールが不正に取得されない限り、さらに何ら意味をもたないことになり（いわゆる暗号化されたデータと同等）、不正利用防止にさらに有効となる。
【０１７１】
また、このような演算ルールで圧縮したデータの量は、上述したように半分程度になされるため、ＩＣタグシール２７０のＩＣチップ２７１に余裕を持って記憶させることができる。
【産業上の利用可能性】
【０１７２】
スロットマシンに限らず、パチンコ機、ピンボールゲーム機、アレンジボールゲーム機、じゃん球といった他の遊技機にも適用可能である。
【図面の簡単な説明】
【０１７３】
【図１】本発明の遊技機の検査システムが適用される回胴式遊技装置の一例を示す斜視図である。
【図２】図１の回胴式遊技装置の内部構成を示す正面図である。
【図３】図１の回胴式遊技装置の筐体内部に取り付けられている主制御基板を組み込んだ主制御基板ユニットを分解して示す斜視図である。
【図４】図２及び図３の基板ケースシールの貼着状態の詳細を説明するための図である。
【図５】図３のＲＯＭへのロムシールの貼着状態を説明するための他の実施例を示す図である。
【図６】図３の主制御基板と上蓋ケースとの間に隙間が生じないようにした場合の他の実施例を示す図である。
【図７】図３のＩＣタグシールの貼着状態の詳細を説明するための図である。
【図８】図３のＩＣタグシールの貼着状態の他の例の詳細を説明するための図である。
【図９】図３のたとえば基板ケースシールとＩＣタグシールからの固有の識別情報を読み取る読取装置の一例を示す図である。
【図１０】図９の読取装置の内部構成を示すブロック図である。
【図１１】図１のスロットマシンの検査方法について説明するためのフローチャートである。
【図１２】アスキーコード表を示す図である。
【図１３】任意のアスキーコードを基準アドレスとして相対アドレスに置き換える場合を説明するためのアスキーコード表を示す図である。
【符号の説明】
【０１７４】
１  スロットマシン
２  筐体
３  前扉
１０  上パネル部
２０  操作卓部
３０  下パネル部
３１  パネル
４０  受皿ユニット
５０  証紙
６６  ホッパ装置
６７  補助貯留部
６８  主電源装置
１００  回胴装置
１０１，１０２，１０３  リール
２００  主制御基板ユニット
２１０  本体ケース
２１４  リブ
２２０  主制御基板
２２１  １チップＲＯＭ
２３０  上蓋ケース
２３６，２３８  凹部
２３７，２３９  底面部
２４０  ブラケット部材
２５０  基板ケースシール
２５１  ＱＲコード
２５４ａ，２５４ｂ，２６４ａ，２６４ｂ，２７４ａ，２７４ｂ  接着層
２５５  管理票
２６０  ロムシール
２７０  ＩＣタグシール
２７１  ＩＣチップ
２７２  箔状アンテナ
２７３  インレット
２７５  ＱＲコード
３００  サブ制御基板ユニット
４００  中央表示制御基板ユニット
５００  読取装置
５０１  タグ情報読取部
５０１ａ  識別情報読取部
５０２  スピーカ
５０３  表示部
５０４  操作部
５０４ａ  タグ情報読取キー
５０４ｂ  識別情報読取キー
５０５  読取駆動部
５０６  読取情報処理部
５０７  スピーカ駆動部
５０８  表示駆動部
５０９  内部Ｉ／Ｆ（インタフェース）
５１０  ＲＯＭ
５１１  ＲＡＭ
５１２  ＣＰＵ
【図１】
2008212570.tif 000003
【図２】
2008212570.tif 000004
【図３】
2008212570.tif 000005
【図４】
2008212570.tif 000006
【図５】
2008212570.tif 000007
【図６】
2008212570.tif 000008
【図７】
2008212570.tif 000009
【図８】
2008212570.tif 000010
【図９】
2008212570.tif 000011
【図１０】
2008212570.tif 000012
【図１１】
2008212570.tif 000013
【図１２】
2008212570.tif 000014
【図１３】
2008212570.tif 000015